(57)【要約】【課題】操作者にとって操作時の設定内容の確認を容易なものとし、操作性を向上させる。【解決手段】操作者に対する操作案内をパーソナルコンピュータ１の表示部１５０に表示させる表示制御プログラムであって、操作者に対して複数項目の値を変更可能であることを示す印刷操作案内画面を表示部１５０に表示させる表示制御部１０１と、表示制御部１０１によって印刷操作案内画面が表示部１５０に表示されているときに、前記各項目の値を変更するそれぞれの指示を、操作者から受け付ける設定変更受付部１０２とを備え、表示制御部１０１は、印刷操作案内画面を表示部１５０に表示させるとき、１以上の前記各項目及びその設定値を、印刷操作案内画面の表示枠とは別個の表示枠で表示部１５０に表示させるように、コンピュータを機能させる。【選択図】図１
2008040949.tif 000002
【特許請求の範囲】
【請求項１】
操作者に対する操作案内をコンピュータの表示部に表示させる表示制御プログラムであって、
操作者に対して複数項目の値を変更可能であることを示す操作案内画面を前記表示部に表示させる表示制御手段と、
前記表示制御手段によって前記操作案内画面が前記表示部に表示されているときに、前記各項目の値を変更するそれぞれの指示を、操作者から受け付ける設定変更受付手段とを備え、
前記表示制御手段は、前記操作案内画面を前記表示部に表示させるとき、１以上の前記項目及びその設定値を、前記操作案内画面とは別個の表示枠で前記表示部に表示させるように、コンピュータを機能させる表示制御プログラム。
【請求項２】
前記表示制御手段が前記別個の表示枠として前記表示部に表示させる項目は、前記操作案内画面では設定値の内容確認が不可能とされており、当該操作案内画面よりも更に下位の階層で表示される下位表示画面でのみ設定値の変更が可能とされている項目となるように、コンピュータを機能させる請求項１に記載の表示制御プログラム。
【請求項３】
前記表示制御手段は、前記各項目毎に前記別個の表示枠として、当該各項目及びその設定値を前記表示部に表示させるように、コンピュータを機能させる請求項１又は請求項２に記載の表示制御プログラム。
【請求項４】
前記表示制御手段は、前記設定変更受付手段によって受け付けられた設定変更指示で、前記いずれかの項目の値が変更された場合に、当該項目及び変更後の設定値を、前記別個の表示枠で前記表示部に表示させるように、コンピュータを機能させる請求項３に記載の表示制御プログラム。
【請求項５】
前記表示制御手段は、前記いずれかの項目の値がデフォルト値から変更された場合に、当該項目及び変更後の設定値を、前記別個の表示枠で前記表示部に表示させるように、コンピュータを機能させる請求項３に記載の表示制御プログラム。
【請求項６】
前記各項目及びその設定値のうち、いずれかの項目及びその設定値を、前記別個の表示枠で前記表示部に表示させる指示を操作者から受け付ける別表示指示受付手段を更に備え、
前記表示制御手段は、前記別表示指示受付手段によって前記別個の表示枠で表示させる指示が受け付けられている項目及びその設定値を、前記別個の表示枠で前記表示部に表示させるように、コンピュータを機能させる請求項３乃至請求項５のいずれかに記載の表示制御プログラム。
【請求項７】
前記別個の表示枠の表示を中止する中止指示を操作者から受け付ける中止指示受付手段を更に備え、
前記表示制御手段は、前記中止指示受付手段によって前記中止指示が受け付けられた前記別個の表示枠の表示を中止するように、コンピュータを機能させる請求項１乃至請求項６のいずれかに記載の表示制御プログラム。
【請求項８】
前記表示制御手段は、前記別個の表示枠の中に、当該表示枠で表示している設定値の変更を受け付けるための設定変更ボタンを表示させ、
前記設定変更受付手段は、コンピュータの入力装置を用いた操作者による前記設定変更ボタンの操作に基づいて、前記表示枠で表示している設定値の変更指示を受け付けるように、コンピュータを機能させる請求項１乃至請求項７のいずれかに記載の表示制御プログラム。
【請求項９】
操作者に対する操作案内を表示する表示部と、
操作者に対して複数項目の値を変更可能であることを示す操作案内画面を前記表示部に表示させる表示制御手段と、
前記表示制御手段によって前記操作案内画面が前記表示部に表示されているときに、前記各項目の値を変更するそれぞれの指示を、操作者から受け付ける設定変更受付手段とを備え、
前記表示制御手段は、前記操作案内画面を前記表示部に表示させるとき、１以上の前記項目及びその設定値を、前記操作案内画面とは別個の表示枠で前記表示部に表示させる表示装置。
【請求項１０】
操作者に対する操作案内をコンピュータの表示部に表示する表示制御方法であって、
操作者に対して複数項目の値を変更可能であることを示す操作案内画面を前記表示部に表示するステップと、
予め定められた条件を満たす場合に、前記複数の項目及びその設定値を、前記操作案内画面とは別個の表示枠で前記表示部に表示させるステップと
を備える表示制御方法。
【請求項１１】
記録紙に対する一連の画像形成動作を行う画像形成手段と、
前記画像形成動作に関する操作案内を表示する表示部と、
操作者に対して複数項目の値を変更可能であることを示す操作案内画面を前記表示部に表示させる表示制御手段と、
前記表示制御手段によって前記操作案内画面が前記表示部に表示されているときに、前記各項目の値を変更するそれぞれの指示を、操作者から受け付ける設定変更受付手段とを備え、
前記表示制御手段は、前記操作案内画面を前記表示部に表示させるとき、１以上の前記項目及びその設定値を、前記操作案内画面とは別個の表示枠で前記表示部に表示させる画像形成装置。
【発明の詳細な説明】
【技術分野】
【０００１】
本発明は、表示制御プログラム、表示装置、表示制御方法及び画像形成装置に関し、特に、操作者に対する操作案内を表示する際の技術に関するものである。
【背景技術】
【０００２】
従来から、操作者に対する操作案内を、コンピュータや画像形成装置等のディスプレイに表示させる技術がある。この技術が適用される例として、下記特許文献１に示されるファイルデータプリント出力方法がある。このファイルデータプリント出力方法は、パーソナルコンピュータ上で、アプリケーションソフトウエアにより編集中のファイルデータを画像形成装置に出力する際に、モニタ画面のタスクバー上に表示される第１プリンタアイコン２０１から、画像形成装置の各オプション機能を示す部分２０２Ａ〜２０２Ｈで構成される第２プリンタアイコン２０２がプルダウンされるようにし、当該プルダウン表示のいずれかの部分を操作者がポインタでクリックすると、当該パーソナルコンピュータが、現在編集中のファイルデータと共に、指示された部分に対応する機能の実行指示を画像形成装置に出力するものである。
【特許文献１】特開２００３−３１６５３６号公報
【発明の開示】
【発明が解決しようとする課題】
【０００３】
一般に、ディスプレイに操作案内が表示されているときに、操作者が、ページレイアウトや、拡大縮小倍率、用紙設定等の詳細事項を設定したい場合には、プリンタドライバの第１表示画面では設定できず、更に下位層の操作画面を表示させて設定するようになっていることが多い。そして、操作者は、当該下位層の操作画面で設定した内容を確認するには、当該下位層を表示させなければ設定内容を確認できないことが多い。上記特許文献１に示されているファイルデータプリント出力方法は、画像形成装置の機能を簡単かつ確実に選択できるが、下位層の操作画面で設定した内容を確認するには、当該下位層を表示させなければ設定内容を確認できないため、上記と同様の操作を行わなければならず、詳細な設定内容を確認する際における操作者にとっての不便さを解消できない。このように、操作者は、操作時の設定内容を容易に確認することが困難である。
【０００４】
本発明は、上記の問題を解決するためになされたもので、操作者にとって、操作時の設定内容の確認を容易なものとし、操作性を向上させることを目的とする。
【課題を解決するための手段】
【０００５】
本発明の請求項１に記載の発明は、操作者に対する操作案内をコンピュータの表示部に表示させる表示制御プログラムであって、
操作者に対して複数項目の値を変更可能であることを示す操作案内画面を前記表示部に表示させる表示制御手段と、
前記表示制御手段によって前記操作案内画面が前記表示部に表示されているときに、前記各項目の値を変更するそれぞれの指示を、操作者から受け付ける設定変更受付手段とを備え、
前記表示制御手段は、前記操作案内画面を前記表示部に表示させるとき、１以上の前記項目及びその設定値を、前記操作案内画面とは別個の表示枠で前記表示部に表示させるように、コンピュータを機能させるものである。
【０００６】
また、請求項９に記載の発明は、操作者に対する操作案内を表示する表示部と、
操作者に対して複数項目の値を変更可能であることを示す操作案内画面を前記表示部に表示させる表示制御手段と、
前記表示制御手段によって前記操作案内画面が前記表示部に表示されているときに、前記各項目の値を変更するそれぞれの指示を、操作者から受け付ける設定変更受付手段とを備え、
前記表示制御手段は、前記操作案内画面を前記表示部に表示させるとき、１以上の前記項目及びその設定値を、前記操作案内画面とは別個の表示枠で前記表示部に表示させる表示装置である。
【０００７】
また、請求項１０に記載の発明は、操作者に対する操作案内をコンピュータの表示部に表示する表示制御方法であって、
操作者に対して複数項目の値を変更可能であることを示す操作案内画面を前記表示部に表示するステップと、
予め定められた条件を満たす場合に、前記複数の項目及びその設定値を、前記操作案内画面とは別個の表示枠で前記表示部に表示させるステップと
を備えるものである。
【０００８】
また、請求項１１に記載の発明は、記録紙に対する一連の画像形成動作を行う画像形成手段と、
前記画像形成動作に関する操作案内を表示する表示部と、
操作者に対して複数項目の値を変更可能であることを示す操作案内画面を前記表示部に表示させる表示制御手段と、
前記表示制御手段によって前記操作案内画面が前記表示部に表示されているときに、前記各項目の値を変更するそれぞれの指示を、操作者から受け付ける設定変更受付手段とを備え、
前記表示制御手段は、前記操作案内画面を前記表示部に表示させるとき、１以上の前記項目及びその設定値を、前記操作案内画面とは別個の表示枠で前記表示部に表示させる画像形成装置である。
【０００９】
これらの構成によれば、操作者に対して複数項目の値を変更可能であることを示す上記操作案内画面と、これとは別個の表示枠とされた項目及びその設定値とが表示部に同時に表示されるので、操作者は、当該別個の表示枠を視認することにより、表示の対象とされている項目の設定値を確認しやすくなり、操作性が向上する。
【００１０】
また、請求項２に記載の発明は、請求項１に記載の表示制御プログラムであって、前記表示制御手段が前記別個の表示枠として前記表示部に表示させる項目は、前記操作案内画面では設定値の内容確認が不可能とされており、当該操作案内画面よりも更に下位の階層で表示される下位表示画面でのみ設定値の変更が可能とされている項目となるように、コンピュータを機能させるものである。
【００１１】
この構成によれば、上記操作案内画面よりも更に下位の階層で表示される下位表示画面でのみ設定値の変更が可能とされている項目が、上記別個の表示枠で表示される。これにより、操作者は、わざわざ下位表示画面を表示部に表示させる操作を行わなくても、当該下位表示画面で設定される項目の設定値を上記別個の表示枠で確認できるので、操作性が格段に向上する。
【００１２】
また、請求項３に記載の発明は、請求項１又は請求項２に記載の表示制御プログラムであって、前記表示制御手段は、前記各項目毎に前記別個の表示枠として、当該各項目及びその設定値を前記表示部に表示させるように、コンピュータを機能させるものである。
【００１３】
この構成によれば、上記操作案内画面と、各項目及びその設定値毎に別個とされたそれぞれの表示枠とが同時に表示部に表示されるので、操作者は、各項目及びその設定値を更に確認しやすくなり、操作性が更に向上する。
【００１４】
また、請求項４に記載の発明は、請求項３に記載の表示制御プログラムであって、前記表示制御手段は、前記設定変更受付手段によって受け付けられた設定変更指示で、前記いずれかの項目の値が変更された場合に、当該項目及び変更後の設定値を、前記別個の表示枠で前記表示部に表示させるように、コンピュータを機能させるものである。
【００１５】
この構成によれば、操作者によって設定値の変更された項目及びその変更後の値が、上記操作案内画面とは別個の表示枠で表示部に表示されるので、操作者は、それまでの値とは異なる値となった項目及びその設定値を、上記別個の表示枠により確実に把握することができる。
【００１６】
また、請求項５に記載の発明は、請求項３に記載の表示制御プログラムであって、前記表示制御手段は、前記いずれかの項目の値がデフォルト値から変更された場合に、当該項目及び変更後の設定値を、前記別個の表示枠で前記表示部に表示させるように、コンピュータを機能させるものである。
【００１７】
この構成によれば、デフォルト値から変更された項目及びその変更後の値が、上記操作案内画面とは別個の表示枠で表示部に表示されるので、操作者は、デフォルト値とは異なる値となった項目及びその設定値を、上記別個の表示枠により確実に把握することができる。
【００１８】
また、請求項６に記載の発明は、請求項３乃至請求項５のいずれかに記載の表示制御プログラムであって、前記各項目及びその設定値のうち、いずれかの項目及びその設定値を、前記別個の表示枠で前記表示部に表示させる指示を操作者から受け付ける別表示指示受付手段を更に備え、
前記表示制御手段は、前記別表示指示受付手段によって前記別個の表示枠で表示させる指示が受け付けられている項目及びその設定値を、前記別個の表示枠で前記表示部に表示させるように、コンピュータを機能させるものである。
【００１９】
この構成によれば、別表示指示受付手段で操作者からの指示が受け付けられた項目及びその設定値が、上記操作案内画面とは別個の表示枠とされて表示部に表示されるので、操作者は、所望の項目及びその設定値を、上記別個の表示枠により確実に把握することができる。
【００２０】
また、請求項７に記載の発明は、請求項１乃至請求項６のいずれかに記載の表示制御プログラムであって、前記別個の表示枠の表示を中止する中止指示を操作者から受け付ける中止指示受付手段を更に備え、
前記表示制御手段は、前記中止指示受付手段によって前記中止指示が受け付けられた前記別個の表示枠の表示を中止するように、コンピュータを機能させるものである。
【００２１】
この構成によれば、中止指示受付手段で操作者からの中止指示が受け付けられた設定値は、上記別個の表示枠としての表示が中止されるので、操作者は、別個の表示枠で表示されている所望の設定値を非表示とすることができる。
【００２２】
また、請求項８に記載の発明は、請求項１乃至請求項７のいずれかに記載の表示制御プログラムであって、前記表示制御手段は、前記別個の表示枠の中に、当該表示枠で表示している設定値の変更を受け付けるための設定変更ボタンを表示させ、
前記設定変更受付手段は、コンピュータの入力装置を用いた操作者による前記設定変更ボタンの操作に基づいて、前記表示枠で表示している設定値の変更指示を受け付けるように、コンピュータを機能させるものである。
【００２３】
この構成によれば、操作者は、上記別個の表示枠の中に表示されている設定変更ボタンの操作により、当該表示枠で表示している項目の設定値が変更可能なので、表示枠で表示している項目の設定値の変更操作が容易になる。
【発明の効果】
【００２４】
請求項１、請求項９、請求項１０及び請求項１１に記載の発明によれば、操作者が、表示部に上記操作案内画面と同時に表示される上記別個の表示枠を視認することで、特定の項目及びその設定値が確認しやすくなり、操作性が向上する。
【００２５】
請求項２に記載の発明によれば、操作者は、わざわざ上記操作案内画面よりも下位の下位表示画面を表示部に表示させる操作を行わなくても、当該下位表示画面で設定される設定値設定値を上記別個の表示枠で確認できるので、操作性が格段に向上する。
【００２６】
請求項３に記載の発明によれば、操作者は、各項目及びその設定値を、それぞれ別個の表示枠で確認できるので、各項目及びその設定値が更に確認しやすくなり、操作性が更に向上する。
【００２７】
請求項４に記載の発明によれば、操作者は、以前とは異なる設定値に変更された項目を、それぞれの項目毎に別々に表示される表示枠により、更に確実に把握することができる。
【００２８】
請求項５に記載の発明によれば、操作者は、デフォルト値とは異なる設定値に変更された項目を、それぞれの項目毎に別々に表示される表示枠により、更に確実に把握することができる。
【００２９】
請求項６に記載の発明によれば、操作者が所望の設定値を、好みに応じて表示させることができるので、操作者にとって、各項目及びその設定値が更に把握し易くなり、操作性が更に向上する。
【００３０】
請求項７に記載の発明によれば、操作者は、別個の表示枠で表示されている所望の設定値を非表示とすることができるので、必要に応じて、上記別個の表示枠を自在に表示又は非表示とすることができる。
【００３１】
請求項８に記載の発明によれば、操作者は、表示枠の表示部分のみの操作で、表示枠で表示されている設定値を変更することができ、操作性が更に向上する。
【発明を実施するための最良の形態】
【００３２】
以下、本発明に係る実施形態を図面に基づいて説明する。図１は、本発明の一実施形態に係る表示制御プログラムがインストールされたパーソナルコンピュータ（以下、ＰＣという）の概略構成を示すブロック図である。
【００３３】
ＰＣ１は、ＬＡＮ（Local Area Network）ケーブル、又はセントロニクスインターフェイスなどのパラレルケーブルあるいはＲＳ−２３２Ｃなどシリアルケーブル等により、プリンタ２０と接続され、ＰＣ１から出力された印刷データがプリンタ２０で記録用紙上に印刷されるようになっている。通信Ｉ／Ｆ１６０は、ＬＡＮインタフェイス、パラレルＩ／Ｆ部又はシリアルＩ／Ｆ部として機能する。プリンタ２０は、プリンタの他、ファクシミリ機能、プリンタ機能、コピー機能を兼ね備える複合機や、ファクシミリ装置等、プリンタ機能を備える種々の装置が含まれる。
【００３４】
ＰＣ１は、上記通信Ｉ／Ｆ１６０の他、ＣＰＵ１００、ＲＯＭ（リードオンリーメモリ）１１０、ＲＡＭ（ランダムアクセスメモリ）１２０、記録媒体駆動装置１３０、操作部（入力装置）１４０、表示部１５０及び記憶装置２００を備えている。
【００３５】
ＲＯＭ１１０は、記憶装置２００や記録媒体駆動装置１３０等の周辺機器を制御するための基本プログラムであるＢＩＯＳ（basic input/output system）等を記憶している。ＲＡＭ１２０は、ＣＰＵ１００の作業領域として使用され、種々のデータを一時的に記憶する。記録媒体駆動装置１３０は、ＣＰＵ１００の制御の下、ＣＤ−ＲＯＭ、フレキシブルディスク、ＤＶＤ（digital versatile disk）等の記録媒体に記録された種々のデータを読み取る。
【００３６】
操作部１４０は、キーボード、マウス等を含み、ユーザの操作指令を受け付け、操作指令に応じた電気信号をＣＰＵ１００に出力する。表示部１５０は、液晶パネル又はＣＲＴ（陰極線管）等から構成され、ＣＰＵ１００の制御の下に種々の画像を表示する。
【００３７】
記憶装置２００は、例えば磁気ディスクから構成され、パーソナルコンピュータを統括制御するための基本プログラムであるオペレーティングシステムや、本発明の一実施形態に係る表示制御プログラム等を記憶している。この表示制御プログラムは、操作者から設定変更受付部１０２等に入力された指示に基づいて、操作者に対する操作案内を表示部１５０に表示させる処理を、ＣＰＵ１００に実行させるものである。表示制御プログラムは、ＣＤ−ＲＯＭやフレキシブルディスク等の記録媒体に記録されている場合は、この記録媒体を記録媒体駆動装置１３０に装填してインストールすることで記憶装置２００に記憶される。また、表示制御プログラムがインターネット上のＷＥＢサーバに記憶されている場合は、ＷＥＢサーバから表示制御プログラムをダウンロードすることにより、当該プログラムが記憶装置２００に記憶されるようにしてもよい。
【００３８】
ＣＰＵ１００は、オペレーティングシステムの制御の下、上記表示制御プログラムを実行することで、表示制御部１０１（表示制御手段）、設定変更受付部（設定変更受付手段）１０２、別ウィンドウ表示指示受付部（別表示指示受付手段）１０３、中止指示受付部（中止指示受付手段）１０４として機能する。ＣＰＵ１００は、更に、指示受付部１０５、制御部１０６、及び出力部１０７としても機能する。
【００３９】
表示制御部１０１は、表示部１５０の表示動作を制御する。表示制御部１０１は、操作者に対して、印刷の設定に必要な複数の項目（ページレイアウト、給紙カセットの指定、拡大縮小印刷、印刷範囲等。以下、単に項目という）について、各項目の設定値を変更可能であることを示す操作案内画面を、例えば、後述する印刷操作案内画面（図５）等の形式で、表示部１５０に表示させる。
【００４０】
例えば、表示制御部１０１は、操作者に対して操作案内を表示するために、印刷操作案内画面を第１画面（例えば、ウィンドウ表示による）として最初に表示し、この後、操作者による操作に伴って、更に詳細項目設定画面等の別画面を第２画面（例えば、ウィンドウ表示による）として、これに切り替えて表示させる。すなわち、印刷操作案内画面を第１画面とし、操作者による操作に伴って、次々に下位の階層の案内画面（下位表示画面）に切り替え表示していくことにより、第１画面では設定できない詳細な設定項目を設定できるように、表示部１５０の画面表示を切り替え制御する。
【００４１】
また、表示制御部１０１は、上記印刷操作案内画面を表示部１５０に表示させるとき、所定の項目及びその設定値を、印刷操作案内画面とは別個の表示枠（例えば、ウィンドウ表示）で、表示部１５０に表示させる。
【００４２】
設定変更受付部１０２は、表示制御部１０１によって上記印刷操作案内画面及び下位の階層画面が表示部１５０に表示されているときに、上記各項目の設定値を変更する指示を、上記各項目毎に操作者から受け付ける。この指示は、操作部１４０を介して操作者から入力される。
【００４３】
別ウィンドウ表示指示受付部１０３は、上記各項目及びその設定値を上記別個の表示枠で表示部１５０に表示させる指示を、操作者から受け付ける。この指示は、操作部１４０を介して操作者から入力される。表示制御部１０１は、別ウィンドウ表示指示受付部１０３によって、上記別個の表示枠で表示させる指示が受け付けられた場合、当該受け付けられた項目を、上記別個の表示枠で表示部１５０に表示させる。
【００４４】
中止指示受付部１０４は、上記別個の表示枠による項目表示を中止する中止指示を、表示されている各項目毎に操作者から受け付ける。表示制御部１０１は、中止指示受付部１０４によって上記中止指示が受け付けられた項目について、上記別個の表示枠による表示部１５０での表示を中止させる。
【００４５】
指示受付部１０５は、操作部１４０の操作で操作者から入力される印刷その他に関する各種指示を受け付ける。制御部１０６は、ＰＣ１の全体的な動作制御を司ると共に、操作部１４０から操作者によって入力された指示に基づいて、印刷処理に必要な各種の制御を行う。また、出力部１０７は、図略のプリンタ印刷用データ変換部で印刷に必要なデータ変換処理がされた後のデータを、通信Ｉ／Ｆ１６０を介してプリンタ２０に出力させる。
【００４６】
なお、本発明の一実施形態に係る表示装置は、例えば、表示部１５０及びＣＰＵ１００（表示制御部１０１、設定変更受付部１０２、別ウィンドウ表示指示受付部１０３、中止指示受付部１０４、指示受付部１０５のうちの必要な機能）を備えてなる。
【００４７】
次に、本発明の一実施形態に係る表示制御プログラムがインストールされた上記ＰＣ１による、印刷時における表示制御の第１実施形態について説明する。図２は、ＰＣ１による印刷時の表示制御の第１実施形態を示すフローチャートである。図３乃至図８は表示部１５０の画面表示例を示す図である。
【００４８】
表示部１５０がワードプロセッサのアプリケーションを表示している状態を例にして説明する。操作者によるマウス（操作部１４０）の操作で、図３に示す画面表示例の「ファイル」欄Ａがクリック（押下）され、実行可能な各種機能を示す機能一覧ツリーを表示させる操作者からの指示が指示受付部１０５に受け付けられると（Ｓ１でＹＥＳ）、表示制御部１０１は、図４に示すように、機能一覧ツリーＢを表示部１５０にプルダウン表示させる（Ｓ２）。
【００４９】
上記機能一覧ツリーＢが表示部１５０に表示されている状態で、操作者によるマウス操作で、機能一覧ツリーＢの印刷ボタンＣがクリックされ、印刷操作案内画面の表示指示が指示受付部１０５に受け付けられると（Ｓ３でＹＥＳ）、表示制御部１０１は、操作者が設定可能な各項目（ページレイアウト、給紙カセットの指定、拡大縮小印刷、印刷範囲等。）が、それまでの印刷操作で、例えばデフォルト値（初期設定値）から変更されているか否かを判断する（Ｓ４）。なお、当該判断の対象となる項目は、(1)後述する印刷操作案内画面Ｄ（図５）で設定変更操作が可能である項目と、印刷操作案内画面Ｄから更に下位の階層画面（下位表示画面）を呼び出して、当該下位の階層画面で設定変更操作が可能となる項目との両方、或いは、(2)当該下位の階層画面で設定変更操作が可能である項目のみ、の(1)又は(2)のいずれでもよい。
【００５０】
表示制御部１０１が、デフォルト値から変更されている項目があると判断した場合（Ｓ４でＹＥＳ）、当該デフォルト値が変更されている項目を、変更後の値と共に印刷操作案内画面Ｄとは別個のウィンドウとして、表示部１５０に表示させ（Ｓ５）、印刷操作案内画面Ｄも表示部１５０に表示させる（Ｓ６）。例えば、図５に示すように、表示制御部１０１は、表示部１５０に、印刷操作時の第１操作案内画面である印刷操作案内画面Ｄと共に、上記デフォルト値が変更されている各項目を示すウィンドウＥ１、Ｅ２を表示させる。印刷操作案内画面Ｄと共に表示される当該ウィンドウＥ１、Ｅ２は、上述したように、印刷操作案内画面Ｄよりも下位の階層画面でのみ設定変更が可能な項目及び設定値であっても表示するので、操作者は、最初に表示される印刷操作案内画面Ｄには表示されない項目及び設定値をウィンドウＥ１、Ｅ２で確認することができる。
【００５１】
なお、図５には、表示制御部１０１が、ウィンドウＥ１、Ｅ２を印刷操作案内画面Ｄから離れた位置に表示させる例を示しているが、図６に示すように、表示制御部１０１が、ウィンドウＥ１又はＥ２を印刷操作案内画面Ｄに重なるように表示させるようにしてもよい。この場合、当該ウィンドウの重なりにより印刷操作案内画面Ｄの一部が表示されなくなるが、表示制御部１０１は、印刷操作案内画面Ｄにおいて、非表示となっても差し支えない領域（例えば、数値やキーが表示されていない領域や、デフォルト値から変更されていない数値を表示する領域）の上に上記ウィンドウを重ねて表示するように制御することで、操作者に視認性や操作性の不都合を生じさせないようにすることができる。
【００５２】
また、表示制御部１０１は、デフォルト値から変更されている項目がないと判断した場合（Ｓ４でＮＯ）、Ｓ５の処理をスキップして、例えば、図７に示すように、印刷操作案内画面Ｄのみを表示部１５０に表示させる（Ｓ６）。
【００５３】
なお、Ｓ４及びＳ５の別個ウィンドウ表示処理と、Ｓ６の印刷操作案内画面表示処理は、いずれの処理を先に行っても構わない。また、上記Ｓ４では、表示制御部１０１が、デフォルト値から変更されている場合に、各項目及びその設定値を、印刷操作案内画面Ｄとは別個のウィンドウで表示するようにしているが、これに代えて、Ｓ４では、表示制御部１０１が、前回の印刷処理実行時に設定値が変更された項目をピックアップして、当該ピックアップした各項目及びその設定値を、別個のウィンドウで表示するようにしてもよい。
【００５４】
印刷操作案内画面Ｄが表示部１５０に表示されている状態で、印刷操作案内画面ＤのＯＫボタンＦが、操作者によるマウス操作でクリックされ、指示受付部１０５に印刷指示が受け付けられると（Ｓ７でＹＥＳ）、この時点で設定されている各項目の設定値に従って、制御部１０６が、印刷対象データの印刷処理を実行する（Ｓ１３）。
【００５５】
また、印刷操作案内画面Ｄが表示部１５０に表示されている状態で、ＯＫボタンＦがクリックされずに、プロパティボタンＧが操作者によりクリックされ、詳細項目設定画面の表示指示が表示制御部１０１に受け付けられると（Ｓ７でＮＯ、Ｓ８でＹＥＳ）、表示制御部１０１は、図８に示すような詳細項目設定画面Ｈを表示部１５０に表示させる（Ｓ９）。この詳細項目設定画面Ｈは、最初に表示される印刷操作案内画面Ｄでは設定変更することができない項目（給紙方法や用紙種類等）の設定が可能とされている。また、詳細項目設定画面Ｈの上部に表示されている各タブ（レイアウトタブＪ１、イメージタブＪ２…）を、操作者がマウス操作でクリックすると、表示制御部１０１は、別項目の設定変更が可能な更なる詳細項目設定画面に表示を切り替える。
【００５６】
詳細項目設定画面Ｈの表示時に、操作者がマウス操作で、例えば給紙方法の設定を変更する等により、いずれかの項目の設定を変更し、当該設定変更指示が設定変更受付部１０２に受け付けられると（Ｓ１０でＹＥＳ）、制御部１０６は、当該設定変更された項目を、操作者からの指示に従った値に変更する（Ｓ１１）。この詳細項目設定画面Ｈでの項目の変更設定は、操作者がマウス操作でＯＫボタンＫをクリックするまで、複数の項目のそれぞれについて可能である（Ｓ１２でＮＯ）。
【００５７】
詳細項目設定画面Ｈの表示時に、操作者が、マウス操作でＯＫボタンＫをクリックすると（Ｓ１２でＹＥＳ）、処理はＳ４に戻り、表示制御部１０１は、表示部１５０に、再び印刷操作案内画面Ｄ又は／及びウィンドウＥ１、Ｅ２を表示させる（Ｓ４乃至Ｓ６）。
【００５８】
また、図５に示すように、上記別個のウィンドウＥ１、Ｅ２には、変更ボタンＬが表示されており、操作者がマウス操作で当該変更ボタンＬを押下すると、詳細項目設定画面Ｈの表示指示が表示制御部１０１に受け付けられ（Ｓ８でＹＥＳ）、表示制御部１０１は、詳細項目設定画面Ｈを表示部１５０に表示させる（Ｓ９）。従って、操作者は、上記別個のウィンドウの変更ボタンＬを押下することによっても、表示部１５０の画面表示を詳細項目設定画面Ｈに切り替えて、印刷操作案内画面では設定変更できない項目の設定が可能となる。なお、変更ボタンＬが押下された場合、変更ボタンＬが表示されているウィンドウが示す項目の設定値が変更可能とされている詳細項目設定画面Ｈを、表示制御部１０１が表示する。
【００５９】
このように、当該表示制御によれば、デフォルト値が変更されている各項目は、最初に表示される印刷操作案内画面Ｄの表示時に、印刷操作案内画面Ｄとは別個のウィンドウＥ１、Ｅ２で表示されるので、操作者は、デフォルト値が変更された項目及び変更後の値を容易に把握することができる。
【００６０】
次に、本発明の一実施形態に係る表示制御プログラムがインストールされた上記ＰＣ１による、印刷時における表示制御の第２実施形態について説明する。図９は、ＰＣ１による印刷時の表示制御の第２実施形態を示すフローチャートである。図１０は、詳細項目設定画面の例を示す図である。なお、図２で示した第１実施形態と同様の処理は、同符号を付して説明を省略する。
【００６１】
上記第１実施形態では、表示制御部１０１が、デフォルト値の変更されている項目を判断し、デフォルト値の変更されている項目を印刷操作案内画面Ｄとは別のウィンドウＥ１、Ｅ２で表示部１５０に表示させるが、この第２実施形態では、操作者によって指示された項目を、表示制御部１０１が、印刷操作案内画面Ｄとは別のウィンドウとして表示部１５０に表示させるようにする。
【００６２】
印刷操作案内画面Ｄの表示指示が指示受付部１０５に受け付けられると（Ｓ３でＹＥＳ）、表示制御部１０１は、操作者による指示で、印刷操作案内画面Ｄとは別個のウィンドウで表示する設定とされている項目が存在するかを判断する（Ｓ２１）。ここで、表示制御部１０１は、別個のウィンドウで表示する設定とされている項目が存在すると判断した場合（Ｓ２１でＹＥＳ）、例えば上記図５に示したように、当該別個のウィンドウでの表示が指示されている項目を、印刷操作案内画面Ｄとは別個のウィンドウで表示する（Ｓ２２）。
【００６３】
上記別個のウィンドウで表示させる指示の設定について説明する。表示制御部１０１が、表示部１５０に詳細項目設定画面Ｈを表示させるとき（Ｓ９）、例えば、図１０に示すように、各項目の表示欄の近傍に切取キーＭ１乃至Ｍ５を表示させておき、この切取キーＭ１乃至Ｍ５のいずれかが操作者によるマウス操作でクリックされると、当該クリックされた切取キーに対応付けられた項目を別個のウィンドウで表示させる指示が、設定変更受付部１０２に受け付けられるようにする。そして、当該指示が設定変更受付部１０２に受け付けられると（Ｓ２３でＹＥＳ）、指示された項目を上記別個のウィンドウで表示させる（Ｓ２４）。
【００６４】
なお、本実施形態では、別個のウィンドウでの表示指示が設定変更受付部１０２に受け付けられると、指示された項目を即座に詳細項目設定画面Ｈとは別個のウィンドウで表示させるようにしているが、当該Ｓ２４のウィンドウ表示を行わず、次回印刷操作案内画面Ｄを表示する際に、表示制御部１０１が、上記別個のウィンドウで表示する設定とされている項目が存在するか否かを判断し、当該別個のウィンドウでの表示が指示されている項目を、印刷操作案内画面Ｄとは別個のウィンドウで表示するようにしてもよい（Ｓ２１、Ｓ２２、Ｓ６）。
【００６５】
この表示制御によれば、デフォルト値が変更されているか否かに拘わらず、操作者が所望の項目を、印刷操作案内画面Ｄとは別個のウィンドウで表示させることができるので、操作者は所望の項目の設定内容を把握し易くなる。
【００６６】
さらに、Ｓ２３で示した操作者による別個ウィンドウでの表示指示の方法の他の形態を採用することも可能である。例えば、操作者が、ＰＣ１の操作部１４０としてのマウスポインタ等を別個ウィンドウ表示させたい設定値の表示部分上に移動させて当該表示部分を指定し、この表示部分を印刷操作案内画面Ｄの外側領域まで所謂ドラッグ操作すると、このドッグ操作で指定された別個ウィンドウ表示させる設定値及び別個ウィンドウの表示位置を別ウィンドウ表示指示受付部１０３が受け付け、表示制御部１０１が当該表示位置に当該設定値を別ウィンドウで表示させるようにしてもよい。
【００６７】
次に、本発明の一実施形態に係る表示制御プログラムがインストールされた上記ＰＣ１による、印刷時における表示制御の第３実施形態について説明する。図１１は、ＰＣ１による印刷時の表示制御の第３実施形態を示すフローチャートである。なお、図２及び図９で示した第１及び第２実施形態と同様の処理は、同符号を付して説明を省略する。
【００６８】
第１実施形態では、デフォルト値の変更されている項目を、表示制御部１０１が印刷操作案内画面Ｄとは別のウィンドウで表示部１５０に表示させ、第２実施形態では、操作者によって指示された項目を、表示制御部１０１が、印刷操作案内画面Ｄとは別のウィンドウで表示部１５０に表示させるが、本第３実施形態では、これら両方の制御を行う。
【００６９】
すなわち、表示制御部１０１は、印刷操作案内画面Ｄの表示指示が指示受付部１０５に受け付けられると（Ｓ３でＹＥＳ）、操作者による指示で、印刷操作案内画面Ｄとは別個のウィンドウで表示する設定とされている項目が存在するかの判断（Ｓ２１）と、デフォルト値が変更されている項目が存在するかの判断（Ｓ４）の両方を行い、別個のウィンドウで表示する設定とされている項目と、デフォルト値の変更されている項目のいずれも、印刷操作案内画面Ｄとは別のウィンドウで表示部１５０に表示させる（Ｓ２１，Ｓ２２，Ｓ４，Ｓ５）。
【００７０】
この表示制御によれば、デフォルト値の変更されている項目と、操作者が自ら別個のウィンドウによる表示を設定した項目の両方が、表示部１５０に表示されるので、操作者は、更に、各項目の設定値を把握し易くなる。
【００７１】
次に、印刷操作案内画面とは別個のウィンドウで項目設定値を変更する際の処理を説明する。図１２は、別個のウィンドウで項目設定値を変更する際の処理を示すフローチャート、図１３は表示部１５０の画面表示例を示す図である。
【００７２】
上記各実施形態で示した別個のウィンドウでは、操作者によるマウス操作で、ウィンドウＥ１等の変更ボタンＬ（図５）がクリックされると、表示制御部１０１が詳細項目設定画面Ｈを表示部１５０に表示し、この詳細項目設定画面Ｈにおいて、ウィンドウＥ１等で表示する項目の設定値を変更できるようにしているが、以下に示すように、別個のウィンドウＥ１等において、表示中の項目の設定値が変更できるようにしてもよい。
【００７３】
表示制御部１０１は、所定の項目及びその設定値を上記別個のウィンドウで表示部１５０に表示させているとき（Ｓ３１）、例えば図１３に示すように、各ウィンドウＥ１，Ｅ２に、それぞれプルダウンボタンＮを表示させておき、操作者によるマウス操作で当該プルダウンボタンＮがクリックされ、変更候補値の表示指示が受け付けられると（Ｓ３２でＹＥＳ）、設定値の変更候補値を例えばプルダウン表示Ｐにより複数表示させる（Ｓ３３）。ここで、操作者によるマウス操作により、上記複数の変更候補値の中から、新たに設定する値を表示する部分がクリックされ、操作者による変更値の指示が受け付けられると（Ｓ３４でＹＥＳ）、制御部１０６は、当該項目の設定値を指定された値に変更する（Ｓ３５）。
【００７４】
これにより、操作者は、プルダウンボタンＮの操作により、当該ウィンドウで表示している項目の設定値の変更が可能であるので、例えば、印刷操作案内画面Ｄでの操作や、さらに下位層の操作画面である詳細項目設定画面Ｈでの操作を行わなくて済むため、操作性が更に向上する。
【００７５】
また、表示制御部１０１がウィンドウＥ１，Ｅ２内に表示させている中止ボタンＱを操作者がマウス操作でクリックすると、クリックされた中止ボタンＱのウィンドウを非表示とする指示が設定変更受付部１０２に受け付けられる（Ｓ３６でＹＥＳ）。この非表示指示が設定変更受付部１０２に受け付けられると、表示制御部１０１は、当該クリックされた中止ボタンＱのウィンドウを非表示とする（Ｓ３７）。これにより、操作者は、所望に応じて、上記ウィンドウの表示及び非表示を切り替えることができる。
【００７６】
なお、表示制御部１０１が、デフォルト値が変更されている項目か、又は前回の印刷処理実行時に設定値が変更された項目かに応じて、上記ウィンドウを表示させるか否かを表示制御している場合には（第１及び第３実施形態）、Ｓ３６及びＳ３７の処理を行わずに、項目の設定値がデフォルト値に戻されたこと、又は前回の印刷処理実行時に設定値が変更されなかった状態に遷移したことをもって、上記ウィンドウを非表示とするようにしてもよい。
【００７７】
なお、本発明は上記実施の形態の構成に限られず種々の変形が可能である。例えば、上記実施形態では、表示制御部１０１は、上記印刷操作案内画面を表示部１５０に表示させるとき、上記各項目の設定値をそれぞれ別個の表示枠（例えば、ウィンドウ）として、表示部１５０に表示させるが、複数の項目及びそれらの設定値を１つのウィンドウに纏めて表示するようにしてもよい。
【００７８】
また、表示部１５０及びＣＰＵ１００（表示制御部１０１、設定変更受付部１０２、別ウィンドウ表示指示受付部１０３、中止指示受付部１０４、指示受付部１０５のうちの必要な機能）を備えてなる上記表示装置を、電子写真方式やインクジェット方式等による一連の画像形成を行う画像形成機構を備えた画像形成装置に適用することも可能である。この場合、画像形成装置に備えられるＬＣＤ（Liquid Crystal Display）等の操作パネルが表示部１５０として機能し、画像形成装置の全体動作の制御を司るために画像形成装置に備えられている中央制御部が上記ＣＰＵ１００として機能するようにすればよい。
【００７９】
また、上記実施形態では、パーソナルコンピュータ１が、本発明の一実施に係る表示制御プログラムに従って機能するとして説明しているが、特許請求の範囲に示すコンピュータは、パーソナルコンピュータに限られず、様々な電気機器に搭載されるコンピュータ機能を含む。例えば、各種ＯＡ機器や家電製品等に備えられるコンピュータ機能（マイコンやＩＣ等であってもプログラムを実行できる機能を有するものであれば足りる）が、特許請求の範囲に示すコンピュータに含まれる。
【００８０】
また、上記には本発明の一実施に係る表示制御プログラム、表示装置及び表示方法の構成及び制御を図１乃至図１３を用いて示したが、これらはあくまでも一例に過ぎず、本発明に係る表示制御プログラム、表示装置及び表示方法を上述した構成及び制御に限定する趣旨ではない。
【図面の簡単な説明】
【００８１】
【図１】本発明の一実施形態に係る表示制御プログラムがインストールされたパーソナルコンピュータの概略構成を示すブロック図である。
【図２】ＰＣによる印刷時の表示制御の第１実施形態を示すフローチャートである。
【図３】表示部の画面表示例を示す図である。
【図４】表示部の画面表示例を示す図である。
【図５】表示部の画面表示例を示す図である。
【図６】表示部の画面表示例を示す図である。
【図７】表示部の画面表示例を示す図である。
【図８】表示部の画面表示例を示す図である。
【図９】ＰＣによる印刷時の表示制御の第２実施形態を示すフローチャートである。
【図１０】詳細項目設定画面の例を示す図である。
【図１１】ＰＣによる印刷時の表示制御の第３実施形態を示すフローチャートである。
【図１２】別個のウィンドウで項目設定値を変更する際の処理を示すフローチャートである。
【図１３】表示部の画面表示例を示す図である。
【符号の説明】
【００８２】
１          パーソナルコンピュータ
１０１      表示制御部
１０２      設定変更受付部
１０３      別ウィンドウ表示指示受付部
１０４      中止指示受付部
１０５      指示受付部
１４０      操作部
１５０      表示部
【図１】
2008040949.tif 000003
【図２】
2008040949.tif 000004
【図３】
2008040949.tif 000005
【図４】
2008040949.tif 000006
【図５】
2008040949.tif 000007
【図６】
2008040949.tif 000008
【図７】
2008040949.tif 000009
【図８】
2008040949.tif 000010
【図９】
2008040949.tif 000011
【図１０】
2008040949.tif 000012
【図１１】
2008040949.tif 000013
【図１２】
2008040949.tif 000014
【図１３】
2008040949.tif 000015